(57)【要約】【課題】  複数の画像読み取り装置を低コストで且つユーザの使い勝手を損なうことなく送信用のファクシミリとして利用可能なファクシミリ中継システム、ファクシミリ中継装置、ファクシミリ中継方法及びプログラムを提供する。【解決手段】  画像読み取り装置は、問い合わせ情報を第一の通信ネットワークに接続されている装置に同時送信し、応答情報を返信してきた装置に、送信原稿を読み取って生成した画像データを送信するファクシミリ中継依頼手段を有し、ファクシミリ中継装置は、問い合わせ情報を受信するとファクシミリ送信手段がファクシミリ送信可能な状態であればファクシミリ送信可能を表す応答情報を問い合わせ情報の送信元に返信し、送信元から画像データを受信すると受信した画像データをファクシミリ送信手段により第二の通信ネットワークでファクシミリ送信するファクシミリ中継手段を有する。【選択図】    図１
2006166352.tif 000002
【特許請求の範囲】
【請求項１】
第一の通信ネットワークを介して他の装置と通信する通信手段と、原稿を読み取って画像データを生成する読み取り手段と、ファクシミリ送信先の指定を受け付けるファクシミリ送信先指定手段と、ファクシミリ送信可能／不可能を問い合わせる問い合わせ情報を前記第一の通信ネットワークに接続されている装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信するファクシミリ中継依頼手段とを有する画像読み取り装置と、
前記第一の通信ネットワークを介して他の装置と通信する通信手段と、画像データをファクシミリ送信先に前記第一の通信ネットワークとは異なる第二の通信ネットワークでファクシミリ送信するファクシミリ送信手段と、前記ファクシミリ送信手段がファクシミリ送信可能な状態か否かを判定する第一の判定手段と、前記問い合わせ情報を受信すると前記ファクシミリ送信手段がファクシミリ送信可能な状態であればファクシミリ送信可能を表す前記応答情報を前記問い合わせ情報の送信元に返信し、前記送信元から前記画像データと前記ファクシミリ送信先とを受信すると受信した前記画像データを受信した前記ファクシミリ送信先に宛てて前記ファクシミリ送信手段でファクシミリ送信するファクシミリ中継手段とを有するファクシミリ中継装置と、
を備えることを特徴とするファクシミリ中継システム。
【請求項２】
前記読み取り手段は、前記ファクシミリ中継依頼手段が前記画像データを送信する先の装置が前記画像データをファクシミリ送信する解像度に応じた解像度で前記送信原稿を読み取ることを特徴とする請求項１に記載のファクシミリ中継システム。
【請求項３】
前記ファクシミリ中継依頼手段は、前記読み取り手段で前記送信原稿を読み取りつつ送信することを特徴とする請求項１又は２に記載のファクシミリ中継システム。
【請求項４】
前記ファクシミリ中継依頼手段は、前記問い合わせ情報に対して前記応答情報を返信してきた装置に、前記画像データを送信する前にファクシミリ送信要求を送信し、画像データの送信を要求されると前記画像データを要求元の装置に送信し、
前記ファクシミリ中継手段は、前記ファクシミリ送信要求を受信すると画像データの受信が可能になった時点で前記ファクシミリ送信要求の送信元に画像データの送信を要求することを特徴とする請求項１、２又は３に記載のファクシミリ中継システム。
【請求項５】
前記画像読み取り装置は、前記ファクシミリ送信要求を送信した先の装置に前記ファクシミリ送信要求の処理状況を問い合わせる問い合わせ情報を送信し、前記処理状況を表すステータス情報を受信すると受信した前記ステータス情報に基づいて前記処理状況を表示する処理状況表示手段を更に有し、
前記ファクシミリ中継装置は、前記処理状況を問い合わせる前記問い合わせ情報を受信すると、前記問い合わせ情報の送信元から受信した前記ファクシミリ送信要求の処理状況を表すステータス情報を前記問い合わせ情報の送信元に送信する処理状況送信手段を更に有することを特徴とする請求項４に記載のファクシミリ中継システム。
【請求項６】
前記第一の判定手段は、前記ファクシミリ送信手段に前記第二の通信ネットワークが接続されていればファクシミリ送信可能な状態であると判定することを特徴とする請求項１〜５のいずれか一項に記載のファクシミリ中継システム。
【請求項７】
前記ファクシミリ中継装置は、前記第二の通信ネットワークを介して画像データをファクシミリ受信するファクシミリ受信手段と、印刷可能／不可能を問い合わせる問い合わせ情報を前記第一の通信ネットワークに接続されている装置に同時送信し、前記問い合わせ情報に対して印刷可能を表す応答情報を返信してきた装置に前記ファクシミリ受信手段でファクシミリ受信した画像データを転送するファクシミリ転送手段とを更に有し、
前記画像読み取り装置は、画像データを印刷する印刷手段と、前記印刷手段が印刷可能な状態か否かを判定する第二の判定手段と、印刷可能／不可能を問い合わせる前記問い合わせ情報を受信すると前記印刷手段が印刷可能な状態であれば印刷可能を表す前記応答情報を前記問い合わせ情報の送信元に返信し、前記送信元から前記画像データを受信すると受信した前記画像データを前記印刷手段で印刷するファクシミリ印刷手段とを更に有することを特徴とする請求項１〜６のいずれか一項に記載のファクシミリ中継システム。
【請求項８】
前記ファクシミリ転送手段は、印刷可能／不可能を問い合わせる前記問い合わせ情報に前記ファクシミリ受信手段でファクシミリ受信した前記画像データのファクシミリ送信元を含めて送信し、
前記第二の判定手段は、前記印刷手段が印刷実行可能であるか否か、及び受信した前記ファクシミリ送信元が予め設定されているファクシミリ転送条件を満たすか否かを判定し、印刷実行可能であり且つ前記ファクシミリ転送条件を満たしていれば印刷可能な状態であると判定することを特徴とする請求項７に記載のファクシミリ中継システム。
【請求項９】
第一の通信ネットワークを介して他の装置と通信する通信手段と、
原稿を読み取って画像データを生成する読み取り手段と、
ファクシミリ送信先の指定を受け付けるファクシミリ送信先指定手段と、
ファクシミリ送信可能／不可能を問い合わせる問い合わせ情報を前記第一の通信ネットワークに接続されている他の装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信してファクシミリ送信を依頼するファクシミリ中継依頼手段と、
を備えることを特徴とする画像読み取り装置。
【請求項１０】
画像データをファクシミリ送信先に前記第一の通信ネットワークとは異なる第二の通信ネットワークでファクシミリ送信するファクシミリ送信手段と、
前記ファクシミリ送信手段がファクシミリ送信可能な状態か否かを判定する第一の判定手段とを更に備え、
前記ファクシミリ送信手段がファクシミリ送信可能な状態のとき、前記読み取り手段で送信原稿を読み取って生成した前記画像データを前記ファクシミリ送信先指定手段で指定されたファクシミリ送信先に宛てて前記ファクシミリ送信手段でファクシミリ送信し、前記ファクシミリ送信手段がファクシミリ送信不可能な状態のとき、前記ファクシミリ中継依頼手段により他の装置にファクシミリ送信の中継を依頼することを特徴とする請求項９に記載の画像読み取り装置。
【請求項１１】
ファクシミリ送信可能／不可能を問い合わせる問い合わせ情報を受信すると前記ファクシミリ送信手段がファクシミリ送信可能な状態であればファクシミリ送信可能を表す応答情報を前記問い合わせ情報の送信元に返信し、前記送信元から画像データとファクシミリ送信先とを受信すると受信した前記画像データを受信した前記ファクシミリ送信先に宛てて前記ファクシミリ送信手段でファクシミリ送信するファクシミリ中継手段と、
を更に備えることを特徴とする請求項１０に記載の画像読み取り装置。
【請求項１２】
第一の通信ネットワークを介して他の装置と通信する通信手段と、
画像データをファクシミリ送信先に前記第一の通信ネットワークとは異なる第二の通信ネットワークでファクシミリ送信するファクシミリ送信手段と、
前記ファクシミリ送信手段に前記第二の通信ネットワークが接続されているか否かを判定する第一の判定手段と、
ファクシミリ送信可能／不可能を問い合わせる問い合わせ情報を受信すると前記ファクシミリ送信手段に前記第二の通信ネットワークが接続されていればファクシミリ送信可能を表す応答情報を前記問い合わせ情報の送信元に返信し、前記送信元から画像データとファクシミリ送信先とを受信すると受信した前記画像データを受信した前記ファクシミリ送信先に宛てて前記ファクシミリ送信手段でファクシミリ送信するファクシミリ中継手段と、
を備えることを特徴とするファクシミリ中継装置。
【請求項１３】
原稿を読み取って画像データを生成する読み取り手段と、
ファクシミリ送信先の指定を受け付けるファクシミリ送信先指定手段とを更に備え、
前記読み取り手段で送信原稿を読み取って生成した画像データを前記ファクシミリ送信先指定手段で指定されたファクシミリ送信先に宛てて前記ファクシミリ送信手段でファクシミリ送信することを特徴とする請求項１２に記載のファクシミリ中継装置。
【請求項１４】
第一の通信ネットワークを介して他の装置と通信する通信手段と、前記第一の通信ネットワークとは異なる第二の通信ネットワークを介して画像データをファクシミリ受信するファクシミリ受信手段と、印刷可能／不可能を問い合わせる問い合わせ情報を前記第一の通信ネットワークに接続されている装置に同時送信し、前記問い合わせ情報に対して印刷可能を表す応答情報を返信してきた装置に前記ファクシミリ受信手段でファクシミリ受信した画像データを転送するファクシミリ転送手段とを有するファクシミリ中継装置と、
前記第一の通信ネットワークを介して他の装置と通信する通信手段と、画像データを印刷する印刷手段と、前記印刷手段が印刷可能な状態か否かを判定する第二の判定手段と、前記問い合わせ情報を受信すると前記印刷手段が印刷可能な状態であれば印刷可能を表す前記応答情報を前記問い合わせ情報の送信元に返信し、前記送信元から前記画像データを受信すると受信した前記画像データを前記印刷手段で印刷するファクシミリ印刷手段とを有するプリンタと、
を備えることを特徴とするファクシミリ中継システム。
【請求項１５】
第一の通信ネットワークを介して他の装置と通信する通信手段と、
前記第一の通信ネットワークとは異なる第二の通信ネットワークを介して画像データをファクシミリ受信するファクシミリ受信手段と、
印刷可能／不可能を問い合わせる問い合わせ情報を前記第一の通信ネットワークに接続されている装置に同時送信し、前記問い合わせ情報に対して印刷可能を表す応答情報を返信してきた装置に前記ファクシミリ受信手段でファクシミリ受信した画像データを転送して印刷を依頼するファクシミリ転送手段と、
を備えることを特徴とするファクシミリ中継装置。
【請求項１６】
第一の通信ネットワークを介して他の装置と通信する通信手段と、原稿を読み取って画像データを生成する読み取り手段と、ファクシミリ送信先の指定を受け付けるファクシミリ送信先指定手段とを有する画像読み取り装置において、ファクシミリ送信可能／不可能を問い合わせる問い合わせ情報を前記第一の通信ネットワークに接続されている他の装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信するファクシミリ中継依頼段階と、
前記第一の通信ネットワークを介して他の装置と通信する通信手段と、画像データをファクシミリ送信先に前記第一の通信ネットワークとは異なる第二の通信ネットワークでファクシミリ送信するファクシミリ送信手段とを有するファクシミリ中継装置において、前記ファクシミリ送信手段がファクシミリ送信可能な状態か否かを判定する第一の判定段階と、前記問い合わせ情報を受信すると前記ファクシミリ送信手段がファクシミリ送信可能な状態であればファクシミリ送信可能を表す前記応答情報を前記問い合わせ情報の送信元に返信し、前記送信元から前記画像データと前記ファクシミリ送信先とを受信すると受信した前記画像データを受信した前記ファクシミリ送信先に宛てて前記ファクシミリ送信手段でファクシミリ送信するファクシミリ中継段階と、
を含むことを特徴とするファクシミリ中継方法。
【請求項１７】
第一の通信ネットワークを介して他の装置と通信する通信手段と、原稿を読み取って画像データを生成する読み取り手段と、ファクシミリ送信先の指定を受け付けるファクシミリ送信先指定手段とを有する画像読み取り装置を、ファクシミリ送信可能／不可能を問い合わせる問い合わせ情報を前記第一の通信ネットワークに接続されている他の装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信するファクシミリ中継依頼手段として機能させ、
前記第一の通信ネットワークを介して他の装置と通信する通信手段と、画像データをファクシミリ送信先に前記第一の通信ネットワークとは異なる第二の通信ネットワークでファクシミリ送信するファクシミリ送信手段とを有するファクシミリ中継装置を、前記ファクシミリ送信手段がファクシミリ送信可能な状態か否かを判定する第一の判定手段と、前記問い合わせ情報を受信すると前記ファクシミリ送信手段がファクシミリ送信可能な状態であればファクシミリ送信可能を表す前記応答情報を前記問い合わせ情報の送信元に返信し、前記送信元から前記画像データと前記ファクシミリ送信先とを受信すると受信した前記画像データを受信した前記ファクシミリ送信先に宛てて前記ファクシミリ送信手段でファクシミリ送信するファクシミリ中継手段として機能させることを特徴とするファクシミリ中継プログラム。
【発明の詳細な説明】
【技術分野】
【０００１】
本発明は、ファクシミリ中継システム、画像読み取り装置、ファクシミリ中継装置、ファクシミリ中継方法及びプログラムに関する。
【背景技術】
【０００２】
イメージスキャナなどの画像読み取り装置は、ファクシミリと同様に紙の原稿を読み取って画像データを生成することができる。従って、画像読み取り装置にファクシミリ送信機能を備えれば、画像読み取り装置を単体で送信専用のファクシミリとして利用することができる。画像読み取り装置とプリンタとを一体化した複合機も知られているので、複合機にファクシミリ送受信機能を備えれば、ファクシミリ受信した画像データをプリンタで印刷することにより送信も受信も可能な一般のファクシミリと同様に利用することができる。
【０００３】
しかしながら、複数の画像読み取り装置を例えば公衆電話交換回線網でファクシミリ送信するファクシミリとして利用する場合、画像読み取り装置の台数分の電話回線を確保しなければならないため高コストである。このような場合、ファクシミリ中継装置を備え、画像読み取り装置が画像データをファクシミリ中継装置に送信してファクシミリ送信を依頼するようにすると、回線数を減らすことができるので通信コストを低減できる。
【０００４】
例えば、パーソナルコンピュータ（ＰＣ）とファクシミリ中継装置とで構成され、ＰＣからファクシミリ中継装置にファクシミリ送信を依頼することによって必要な回線数を減らしているファクシミリ中継システムが知られている。こうしたファクシミリ中継システムでは、ＰＣに予めファクシミリ中継装置を登録しておき、送信の際にどのファクシミリ中継装置に中継を依頼するかをユーザが選択している。
【発明の開示】
【発明が解決しようとする課題】
【０００５】
しかしながら、選択したファクシミリ中継装置にファクシミリ送信を依頼する場合、選択しようとしていたファクシミリ中継装置が例えば電話回線が外されているなどの理由によりファクシミリ送信不可能な状態であったとすると、ユーザはファクシミリ送信可能な別のファクシミリ中継装置を自ら探さなければならないため、使い勝手が悪いという問題がある。
【０００６】
また、予め画像読み取り装置にファクシミリ中継装置を登録しておき、登録されているファクシミリ中継装置のうちのいずれかユーザによって選択されたファクシミリ中継装置にファクシミリ送信を依頼する場合、ユーザは予め画像読み取り装置にファクシミリ中継装置を登録しておく手間がかかるため、使い勝手が悪いという問題がある。
【０００７】
本発明は、かかる事情に鑑みて創作されたものであって、複数の画像読み取り装置を低コストで且つユーザの使い勝手を損なうことなく送信用のファクシミリとして利用可能なファクシミリ中継システム、ファクシミリ中継装置、ファクシミリ中継方法及びプログラムを提供することを目的とする。
また、本発明の別の目的は、低コストで且つユーザの使い勝手を損なうことなく送信用のファクシミリとして利用可能な画像読み取り装置を提供することにある。
【０００８】
また、本発明の別の目的は、複数のプリンタを低コストで受信用のファクシミリとして利用できる上、受信した画像データを確実に印刷可能なファクシミリ中継装置、及びファクシミリ中継システムを提供することにある。
【課題を解決するための手段】
【０００９】
上記目的を達成するため、本発明に係るファクシミリ中継システムは、第一の通信ネットワークを介して他の装置と通信する通信手段と、原稿を読み取って画像データを生成する読み取り手段と、ファクシミリ送信先の指定を受け付けるファクシミリ送信先指定手段と、ファクシミリ送信可能／不可能を問い合わせる問い合わせ情報を前記第一の通信ネットワークに接続されている装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信するファクシミリ中継依頼手段とを有する画像読み取り装置と、前記第一の通信ネットワークを介して他の装置と通信する通信手段と、画像データをファクシミリ送信先に前記第一の通信ネットワークとは異なる第二の通信ネットワークでファクシミリ送信するファクシミリ送信手段と、前記ファクシミリ送信手段がファクシミリ送信可能な状態か否かを判定する第一の判定手段と、前記問い合わせ情報を受信すると前記ファクシミリ送信手段がファクシミリ送信可能な状態であればファクシミリ送信可能を表す前記応答情報を前記問い合わせ情報の送信元に返信し、前記送信元から前記画像データと前記ファクシミリ送信先とを受信すると受信した前記画像データを受信した前記ファクシミリ送信先に宛てて前記ファクシミリ送信手段でファクシミリ送信するファクシミリ中継手段とを有するファクシミリ中継装置と、を備える。
【００１０】
このファクシミリ中継システムによると、ファクシミリ中継装置でファクシミリ送信を中継するので、ファクシミリとして利用する画像読み取り装置を第二の通信ネットワークに接続する必要がない。従って低コストである。更に、画像読み取り装置が他の装置にファクシミリ送信可能／不可能を問い合わせ、ファクシミリ送信可能な装置に画像読み取り装置がファクシミリ送信の中継を依頼するので、ユーザはファクシミリ送信可能なファクシミリ中継装置を探し出す手間が不要である。よってこのファクシミリ中継システムによると、複数の画像読み取り装置を低コストで且つユーザの使い勝手を損なうことなく送信用のファクシミリとして利用できる。
【００１１】
さらに本発明に係るファクシミリ中継システムでは、前記読み取り手段は、前記ファクシミリ中継依頼手段が前記画像データを送信する先の装置が前記画像データをファクシミリ送信する解像度に応じた解像度で前記送信原稿を読み取る。このファクシミリ中継システムによると、ファクシミリ送信する解像度以上の解像度で原稿を読み取る無駄を排除できる。
【００１２】
さらに本発明に係るファクシミリ中継システムでは、前記ファクシミリ中継依頼手段は、前記読み取り手段で前記送信原稿を読み取りつつ送信する。このファクシミリ中継システムによると、送信原稿を全て読み取ってから送信する場合に比べ、画像読み取り装置のメモリ容量が少なくてすむ。
【００１３】
さらに本発明に係るファクシミリ中継システムでは、前記ファクシミリ中継依頼手段は、前記問い合わせ情報に対して前記応答情報を返信してきた装置に、前記画像データを送信する前にファクシミリ送信要求を送信し、画像データの送信を要求されると前記画像データを要求元の装置に送信し、前記ファクシミリ中継手段は、前記ファクシミリ送信要求を受信すると画像データの受信が可能になった時点で前記ファクシミリ送信要求の送信元に画像データの送信を要求する。このため、ファクシミリ中継手段は、複数のファクシミリ中継依頼手段からファクシミリ送信要求を受信した場合、１件分のファクシミリ送信が完了したら次の画像データの送信を要求するようにすることで、画像データを記憶するためのメモリ容量を少なくできる。
【００１４】
さらに本発明に係るファクシミリ中継システムでは、前記画像読み取り装置は、前記ファクシミリ送信要求を送信した先の装置に前記ファクシミリ送信要求の処理状況を問い合わせる問い合わせ情報を送信し、前記処理状況を表すステータス情報を受信すると受信した前記ステータス情報に基づいて前記処理状況を表示する処理状況表示手段を更に有し、前記ファクシミリ中継装置は、前記処理状況を問い合わせる前記問い合わせ情報を受信すると、前記問い合わせ情報の送信元から受信した前記ファクシミリ送信要求の処理状況を表すステータス情報を前記問い合わせ情報の送信元に送信する処理状況送信手段を更に有する。このファクシミリ中継システムによると、画像読み取り装置のユーザは、ファクシミリ送信要求の処理状況を知ることができる。
【００１５】
さらに本発明に係るファクシミリ中継システムでは、前記第一の判定手段は、前記ファクシミリ送信手段に前記第二の通信ネットワークが接続されていればファクシミリ送信可能な状態であると判定する。このファクシミリ中継システムによると、例えファクシミリ送信手段を有していても第二の通信ネットワークが接続されていなければファクシミリ送信可能な状態とは判定されないので、実際にはファクシミリ送信できないファクシミリ中継装置にファクシミリ送信が依頼されてしまうことを防止できる。
【００１６】
さらに本発明に係るファクシミリ中継システムでは、前記ファクシミリ中継装置は、前記第二の通信ネットワークを介して画像データをファクシミリ受信するファクシミリ受信手段と、印刷可能／不可能を問い合わせる問い合わせ情報を前記第一の通信ネットワークに接続されている装置に同時送信し、前記問い合わせ情報に対して印刷可能を表す応答情報を返信してきた装置に前記ファクシミリ受信手段でファクシミリ受信した画像データを転送するファクシミリ転送手段とを更に有し、前記画像読み取り装置は、画像データを印刷する印刷手段と、前記印刷手段が印刷可能な状態か否かを判定する第二の判定手段と、印刷可能／不可能を問い合わせる前記問い合わせ情報を受信すると前記印刷手段が印刷可能な状態であれば印刷可能を表す前記応答情報を前記問い合わせ情報の送信元に返信し、前記送信元から前記画像データを受信すると受信した前記画像データを前記印刷手段で印刷するファクシミリ印刷手段とを更に有する。このファクシミリ中継システムによると、複数の画像読み取り装置を低コストで受信用のファクシミリとして利用できる上、受信した画像データを確実に印刷できる。
【００１７】
さらに本発明に係るファクシミリ中継システムでは、前記ファクシミリ転送手段は、印刷可能／不可能を問い合わせる前記問い合わせ情報に前記ファクシミリ受信手段でファクシミリ受信した前記画像データのファクシミリ送信元を含めて送信し、前記第二の判定手段は、前記印刷手段が印刷実行可能であるか否か、及び受信した前記ファクシミリ送信元が予め設定されているファクシミリ転送条件を満たすか否かを判定し、印刷実行可能であり且つ前記ファクシミリ転送条件を満たしていれば印刷可能な状態であると判定する。このファクシミリ中継システムによると、予めファクシミリ転送条件を設定しておくことにより、各画像読み取り装置においてそれぞれ特定のファクシミリ送信元から送信された画像データを受信することができる。
【００１８】
上記目的を達成するため、本発明に係る画像読み取り装置は、第一の通信ネットワークを介して他の装置と通信する通信手段と、原稿を読み取って画像データを生成する読み取り手段と、ファクシミリ送信先の指定を受け付けるファクシミリ送信先指定手段と、ファクシミリ送信可能／不可能を問い合わせる問い合わせ情報を前記第一の通信ネットワークに接続されている他の装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信してファクシミリ送信を依頼するファクシミリ中継依頼手段と、を備える。この画像読み取り装置によると、複数の画像読み取り装置を低コストで且つユーザの使い勝手を損なうことなく送信用のファクシミリとして利用することが可能になる。
【００１９】
さらに本発明に係る画像読み取り装置では、画像データをファクシミリ送信先に前記第一の通信ネットワークとは異なる第二の通信ネットワークでファクシミリ送信するファクシミリ送信手段と、前記ファクシミリ送信手段がファクシミリ送信可能な状態か否かを判定する第一の判定手段とを更に備え、前記ファクシミリ送信手段がファクシミリ送信可能な状態のとき、前記読み取り手段で送信原稿を読み取って生成した前記画像データを前記ファクシミリ送信先指定手段で指定されたファクシミリ送信先に宛てて前記ファクシミリ送信手段でファクシミリ送信し、前記ファクシミリ送信手段がファクシミリ送信不可能な状態のとき、前記ファクシミリ中継依頼手段により他の装置にファクシミリ送信の中継を依頼する。この画像読み取り装置によると、ファクシミリ送信手段がファクシミリ送信可能な状態のときは自身を送信用のファクシミリとして利用できる上、第二の通信ネットワークが接続されていないなどの何等かの理由によりファクシミリ送信手段がファクシミリ送信不可能な状態のときは他の装置にファクシミリ送信を依頼することによりファクシミリ送信することができる。
【００２０】
さらに本発明に係る画像読み取り装置では、ファクシミリ送信可能／不可能を問い合わせる問い合わせ情報を受信すると前記ファクシミリ送信手段がファクシミリ送信可能な状態であればファクシミリ送信可能を表す応答情報を前記問い合わせ情報の送信元に返信し、前記送信元から画像データとファクシミリ送信先とを受信すると受信した前記画像データを受信した前記ファクシミリ送信先に宛てて前記ファクシミリ送信手段でファクシミリ送信するファクシミリ中継手段と、を更に備える。この画像読み取り装置によると、ファクシミリ送信手段がファクシミリ送信可能な状態のときは、他の装置のファクシミリ送信を中継するファクシミリ中継装置としても機能できる。
【００２１】
上記目的を達成するため、本発明に係るファクシミリ中継装置は、第一の通信ネットワークを介して他の装置と通信する通信手段と、画像データをファクシミリ送信先に前記第一の通信ネットワークとは異なる第二の通信ネットワークでファクシミリ送信するファクシミリ送信手段と、前記ファクシミリ送信手段に前記第二の通信ネットワークが接続されているか否かを判定する第一の判定手段と、ファクシミリ送信可能／不可能を問い合わせる問い合わせ情報を受信すると前記ファクシミリ送信手段に前記第二の通信ネットワークが接続されていればファクシミリ送信可能を表す応答情報を前記問い合わせ情報の送信元に返信し、前記送信元から画像データとファクシミリ送信先とを受信すると受信した前記画像データを受信した前記ファクシミリ送信先に宛てて前記ファクシミリ送信手段でファクシミリ送信するファクシミリ中継手段と、を備える。このファクシミリ中継装置によると、複数の画像読み取り装置を低コストで且つユーザの使い勝手を損なうことなく送信用のファクシミリとして利用することが可能になる。
【００２２】
さらに本発明に係るファクシミリ中継装置では、原稿を読み取って画像データを生成する読み取り手段と、ファクシミリ送信先の指定を受け付けるファクシミリ送信先指定手段とを更に備え、前記読み取り手段で送信原稿を読み取って生成した画像データを前記ファクシミリ送信先指定手段で指定されたファクシミリ送信先に宛てて前記ファクシミリ送信手段でファクシミリ送信する。このファクシミリ中継装置によると、ファクシミリ中継装置自身を送信用のファクシミリとしても利用できる。
【００２３】
上記目的を達成するため、本発明に係るファクシミリ中継システムは、第一の通信ネットワークを介して他の装置と通信する通信手段と、前記第一の通信ネットワークとは異なる第二の通信ネットワークを介して画像データをファクシミリ受信するファクシミリ受信手段と、印刷可能／不可能を問い合わせる問い合わせ情報を前記第一の通信ネットワークに接続されている装置に同時送信し、前記問い合わせ情報に対して印刷可能を表す応答情報を返信してきた装置に前記ファクシミリ受信手段でファクシミリ受信した画像データを転送するファクシミリ転送手段とを有するファクシミリ中継装置と、前記第一の通信ネットワークを介して他の装置と通信する通信手段と、画像データを印刷する印刷手段と、前記印刷手段が印刷可能な状態か否かを判定する第二の判定手段と、前記問い合わせ情報を受信すると前記印刷手段が印刷可能な状態であれば印刷可能を表す前記応答情報を前記問い合わせ情報の送信元に返信し、前記送信元から前記画像データを受信すると受信した前記画像データを前記印刷手段で印刷するファクシミリ印刷手段とを有するプリンタと、を備える。
【００２４】
このファクシミリ中継システムによると、ファクシミリ中継装置でファクシミリ受信を中継するので、受信用のファクシミリとして利用するプリンタを第二の通信ネットワークに接続する必要がない。従って低コストである。更に、ファクシミリ中継装置は他の装置に印刷可能／不可能を問い合わせ、印刷可能な装置に画像データを転送するので、転送したのに印刷されないというような問題が起きることがない。よってこのファクシミリ中継システムによると、複数のプリンタを低コストで受信用のファクシミリとして利用できる上、受信した画像データを確実に印刷できる。
【００２５】
上記目的を達成するため、本発明に係るファクシミリ中継装置は、第一の通信ネットワークを介して他の装置と通信する通信手段と、前記第一の通信ネットワークとは異なる第二の通信ネットワークを介して画像データをファクシミリ受信するファクシミリ受信手段と、印刷可能／不可能を問い合わせる問い合わせ情報を前記第一の通信ネットワークに接続されている装置に同時送信し、前記問い合わせ情報に対して印刷可能を表す応答情報を返信してきた装置に前記ファクシミリ受信手段でファクシミリ受信した画像データを転送して印刷を依頼するファクシミリ転送手段と、を備える。このファクシミリ中継装置によると、複数のプリンタを低コストで受信用のファクシミリとして利用できる上、受信した画像データを確実に印刷することが可能になる。
【００２６】
上記目的を達成するため、本発明に係るファクシミリ中継方法は、第一の通信ネットワークを介して他の装置と通信する通信手段と、原稿を読み取って画像データを生成する読み取り手段と、ファクシミリ送信先の指定を受け付けるファクシミリ送信先指定手段とを有する画像読み取り装置において、ファクシミリ送信可能／不可能を問い合わせる問い合わせ情報を前記第一の通信ネットワークに接続されている他の装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信するファクシミリ中継依頼段階と、前記第一の通信ネットワークを介して他の装置と通信する通信手段と、画像データをファクシミリ送信先に前記第一の通信ネットワークとは異なる第二の通信ネットワークでファクシミリ送信するファクシミリ送信手段とを有するファクシミリ中継装置において、前記ファクシミリ送信手段がファクシミリ送信可能な状態か否かを判定する第一の判定段階と、前記問い合わせ情報を受信すると前記ファクシミリ送信手段がファクシミリ送信可能な状態であればファクシミリ送信可能を表す前記応答情報を前記問い合わせ情報の送信元に返信し、前記送信元から前記画像データと前記ファクシミリ送信先とを受信すると受信した前記画像データを受信した前記ファクシミリ送信先に宛てて前記ファクシミリ送信手段でファクシミリ送信するファクシミリ中継段階と、を含む。このファクシミリ中継方法によると、複数の画像読み取り装置を低コストで且つユーザの使い勝手を損なうことなく送信用のファクシミリとして利用できる。
【００２７】
上記目的を達成するため、本発明に係るファクシミリ中継プログラムは、第一の通信ネットワークを介して他の装置と通信する通信手段と、原稿を読み取って画像データを生成する読み取り手段と、ファクシミリ送信先の指定を受け付けるファクシミリ送信先指定手段とを有する画像読み取り装置を、ファクシミリ送信可能／不可能を問い合わせる問い合わせ情報を前記第一の通信ネットワークに接続されている他の装置に同時送信し、前記問い合わせ情報に対してファクシミリ送信可能を表す応答情報を返信してきた装置に、前記読み取り手段で送信原稿を読み取って生成した画像データと前記ファクシミリ送信先指定手段で指定されたファクシミリ送信先とを送信するファクシミリ中継依頼手段として機能させ、前記第一の通信ネットワークを介して他の装置と通信する通信手段と、画像データをファクシミリ送信先に前記第一の通信ネットワークとは異なる第二の通信ネットワークでファクシミリ送信するファクシミリ送信手段とを有するファクシミリ中継装置を、前記ファクシミリ送信手段がファクシミリ送信可能な状態か否かを判定する第一の判定手段と、前記問い合わせ情報を受信すると前記ファクシミリ送信手段がファクシミリ送信可能な状態であればファクシミリ送信可能を表す前記応答情報を前記問い合わせ情報の送信元に返信し、前記送信元から前記画像データと前記ファクシミリ送信先とを受信すると受信した前記画像データを受信した前記ファクシミリ送信先に宛てて前記ファクシミリ送信手段でファクシミリ送信するファクシミリ中継手段として機能させる。このファクシミリ中継プログラムによると、複数の画像読み取り装置を低コストで且つユーザの使い勝手を損なうことなく送信用のファクシミリとして利用できる。
【００２８】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、請求項に記載された方法の各動作の順序は、技術上の阻害要因がない限り、記載順に限定されるものではなく、どのような順番で実行されてもよく、また同時に実行されてもよい。
【発明を実施するための最良の形態】
【００２９】
以下、本発明を実施するための最良の形態を実施例に基づいて説明する。本実施例において「画像データ」とは、スキャナＲＡＷデータ、ＲＧＢデータ、ファクシミリデータ及び印刷データを含むものとする。これらはそれぞれデータフォーマットが異なるがいずれも画像データである。なお、ＲＧＢデータはＪＰＥＧデータやＴＩＦＦデータなどであってもよい。
【００３０】
図２は、本発明の一実施例に係るファクシミリ中継システム１の構成を示す模式図である。ファクシミリ中継システム１は、イメージスキャナとプリンタとが一体化された複数の複合機１１〜１４を第一の通信ネットワークとしてのＬＡＮ（Local Area Network）１５で相互に通信可能に接続することによって構成されている。なお、通信ネットワークはＷＡＮ（Wide Area Network）でもよい。複合機１１〜１４のハードウェア構成は同一であり、全てファクシミリ送受信機能を備えている。複合機１１〜１４はいずれも画像読み取り装置として機能する他、第二の通信ネットワークとしての公衆電話交換回線網１７に繋がる電話回線１６が接続されてファクシミリ送受信可能な状態になればファクシミリ中継装置としても機能する。なお、第二の通信ネットワークは構内電話交換回線網でもよい。図２では、公衆電話交換回線網１７に繋がる電話回線１６が接続されているのは複合機１４のみである。
【００３１】
図３は、複合機１１のハードウェア構成を示すブロック図である。
中央制御部２１は、図示しないＣＰＵ、ＲＯＭ、ＲＡＭ及びインタフェース回路を備える。中央制御部２１はＲＯＭに記憶されているコンピュータプログラムを実行することにより、複合機１１の全体を制御する。また、中央制御部２１はＲＯＭに記憶されているファクシミリ中継プログラムを実行することにより、複合機１１をファクシミリ中継依頼手段、第一の判定手段、ファクシミリ中継手段、ファクシミリ送信先指定手段、処理状況表示手段、処理状況送信手段、ファクシミリ転送手段、第二の判定手段、及びファクシミリ印刷手段としても機能させる。ＲＯＭに記憶する各種のプログラムやデータは所定のサーバからネットワークを介してダウンロードして記憶してもよいし、リムーバブルメモリ等のコンピュータ読み取り可能な記憶媒体から読み出して記憶してもよい。
【００３２】
印刷手段としてのプリンタ部２４は、プリンタ制御部２３によって制御され、印刷データに基づいて印刷用紙に画像を形成する。プリンタ部２４は例えばインクジェット方式、レーザ方式、昇華型熱転写方式、ドットインパクト方式などで画像を形成する。
読み取り手段としてのスキャナ部２６は、スキャナ制御部２５によって制御され、原稿を読み取ってイメージスキャナのＲＡＷデータ（以下「スキャナＲＡＷデータ」という）を生成する。スキャナ部２６は、光電変換素子が直線状に配列されたリニアイメージセンサ、原稿の主走査領域の反射光像をリニアイメージセンサの受光面に結像する光学系、リニアイメージセンサと原稿とを相対移動させる副走査駆動部、イメージセンサから出力されたアナログ画像信号に対して増幅、雑音低減処理等を施すアナログ信号処理部、アナログ画像信号をスキャナＲＡＷデータに変換するＡ／Ｄ変換器などを備える。
【００３３】
ファクシミリ送信手段及びファクシミリ受信手段としてのファクシミリ制御部２７は、モデムなどで構成され、第三変換部３５によって変換されたファクシミリデータをファクシミリ通信手順を実行して電話回線１６に送出する。また、ファクシミリ制御部２７は、電話回線１６を通じてファクシミリデータを受信し、受信したファクシミリデータをデータ記憶部２２に記憶させる。
【００３４】
通信手段としての複数の有線制御部２８、２９は、ネットワーク管理部３７に制御され、ＴＣＰ／ＩＰやＵＤＰ／ＩＰなどの所定の通信プロトコルで他の装置と通信可能にＬＡＮ１５に接続されている。なお、有線制御部は少なくとも一つあればよい。また、ネットワーク管理部３７は、スキャナ部２６によって読み取られた原稿をスキャナ部２６による読み取りと並行して送信することでファクシミリ中継依頼手段としても機能する。
読み取り手段、ファクシミリ送信手段、ファクシミリ受信手段、及び印刷手段としての変換部３２は、第一変換部３３、第二変換部３４、第三変換部３５、及び第四変換部３６を制御して画像データのフォーマットを変換する。
【００３５】
第一変換部３３は、変換部３２に制御され、ファクシミリデータをＲＧＢデータに変換する。
第二変換部３４は、変換部３２に制御され、ＲＧＢデータをＣＭＹＫ色空間に変換する処理、ハーフトーン処理などを施して印刷データに変換する。
第三変換部３５は、変換部３２に制御され、ＲＧＢデータをファクシミリデータに変換する。
【００３６】
第四変換部３６は、変換部３２に制御され、スキャナＲＡＷデータにシェーディング補正やガンマ補正等の各種の画像処理を施してＲＧＢデータに変換する。
設定情報記憶部３１は、電源を切っても記憶内容が保持されるフラッシュメモリなどで構成される。設定情報記憶部３１には、複合機１１自身によるファクシミリ送信を許可するか否かを表すファクシミリ送信設定情報、複合機１１自身でファクシミリ受信した画像データを他の複合機に転送することを許可するか否か及び他の複合機でファクシミリ受信された画像データが複合機１１に転送されることを許可するか否かを表すファクシミリ受信設定情報、他の装置でファクシミリ受信された画像データのうち転送を要求する画像データと転送を要求しない画像データとを選別するための条件である振り分け基準、他の複合機の識別情報などが記憶されている。ここで振り分け基準は特許請求の範囲に記載の「ファクシミリ転送条件」に相当する。識別情報とはホスト名や完全修飾ドメイン名（ＦＱＤＮ）などのことをいう。これらの情報は予めユーザによって設定される。
【００３７】
データ記憶部２２は、ＲＡＭなどで構成される。複合機１１の各制御部はいずれもデータ記憶部２２にアクセスすることができる。
ファクシミリ送信先指定手段及び処理状況表示手段としての操作部３０は、依頼したファクシミリ送信の処理状況や各種のメニューを表示するＬＣＤ、ＬＣＤ駆動回路、ＬＣＤに表示されたメニューを操作するスイッチ、その他、ファクシミリ送信を指示するための操作スイッチやファクシミリ送信先を指定するための操作スイッチなど、複合機１１の機能に応じた各種の操作スイッチを備えている。
【００３８】
次に、ファクシミリ中継プログラムについて説明する。
図４は、ファクシミリ中継プログラムの論理的な構造を示すブロック図である。
ファクシミリ送信モジュール４１は、複合機を、自身でファクシミリ送信不可能な場合は他の装置にファクシミリ送信を依頼する複合機として機能させ、自身でファクシミリ送信可能な場合は自らファクシミリ送信する複合機として機能させる。この他、ファクシミリ送信モジュール４１は、ファクシミリ送信を依頼した先の複合機に処理状況を問い合わせ、返信された処理状況を操作部３０のＬＣＤに表示する複合機としても機能させる。
【００３９】
送信中継モジュール４２は、複合機を、他の装置のファクシミリ送信を中継するファクシミリ中継装置として機能させる。この他、送信中継モジュール４２は、ファクシミリ送信の依頼元から処理状況を問い合わされると、その依頼元からのファクシミリ送信要求についての処理状況を返信する複合機としても機能させる。
【００４０】
受信中継モジュール４３は、複合機を、ファクシミリ受信した画像データを自身で印刷不可能な場合は他の複合機に転送するファクシミリ中継装置として機能させ、ファクシミリ受信した画像データを自身で印刷可能な場合は自ら印刷する複合機として機能させる。
ファクシミリ受信モジュール４４は、複合機を、他の装置でファクシミリ受信された画像データが転送される側の複合機として機能させる。
【００４１】
以下、ファクシミリ中継システム１の処理について説明する。
（１）ファクシミリ送信
始めに、複合機が他の複合機にファクシミリ送信を依頼する処理、又は自身でファクシミリ送信する処理について説明する。この処理において、ユーザは複合機１１〜１４のいずれの複合機を操作してファクシミリ送信を行ってもよい。
【００４２】
図５はユーザによって操作される複合機の中央制御部２１の処理の流れを示すフローチャートであり、図１はファクシミリ送信において複合機間で送受信されるデータのシーケンスチャートである。本処理は、ユーザがいずれかの複合機でファクシミリ送信操作を行うと開始される。
Ｓ１０５では、ユーザによって操作される複合機の中央制御部２１は、設定情報記憶部３１からファクシミリ送信設定情報を取得する。
【００４３】
Ｓ１１０では、ユーザによって操作される複合機の中央制御部２１は、取得したファクシミリ送信設定情報を参照してファクシミリ送信が許可されているか否かを判定する。ユーザによって操作される複合機の中央制御部２１は、許可されている場合はＳ１１５に進み、許可されていない場合は処理を終了する。
Ｓ１１５では、ユーザによって操作される複合機の中央制御部２１は、自身のファクシミリ制御部２７に電話回線１６の有効／無効を確認する。ファクシミリ制御部２７は、電話回線１６が接続されており且つ通話可能な状態であれば中央制御部２１に有効であることを通知する。ファクシミリ制御部２７は、それ以外の状態であれば無効を通知する。ユーザによって操作される複合機の中央制御部２１は、有効であればＳ１５０に進み、無効であればＳ１２０に進む。
【００４４】
Ｓ１２０では、ユーザによって操作される複合機の中央制御部２１は、自身の変換部３２にスキャナＲＡＷデータからファクシミリデータへの変換可／不可を確認する。本実施例の複合機はスキャナＲＡＷデータからＲＧＢデータへ、ＲＧＢデータからファクシミリデータへ変換できるので、変換部３２は中央制御部２１に変換可を通知する。本実施例の複合機と同一構成ではない装置であり、ファクシミリデータへ変換できなければ、その装置の変換部３５は不可を通知するものとする。
【００４５】
Ｓ１２５では、ユーザによって操作される複合機の中央制御部２１は、ネットワーク管理部３７を制御して、予め登録されている他の複合機に、ファクシミリ送信可能／不可能を問い合わせる問い合わせ情報（ａ）をマルチキャストする。この問い合わせにおいて、ユーザによって操作される複合機は、Ｓ１２０で自身の変換部３２から変換不可を通知されている場合は、すなわちユーザによって操作される複合機が自身でスキャナＲＡＷデータをファクシミリデータに変換できない場合は、スキャナＲＡＷデータからファクシミリデータへの変換可／不可も併せて他の複合機に問い合わせる。なお、ユーザによって操作される複合機の中央制御部２１は、スキャナＲＡＷデータをＲＧＢデータまでなら自身の変換部３２で変換可能な場合は、ＲＧＢデータからファクシミリデータへの変換可／不可を他の複合機に問い合わせてもよい。
【００４６】
問い合わせ情報（ａ）を受信した他の複合機は、電話回線１６が有効であれば問い合わせに対して応答情報（ｂ）を返信する。問い合わせ情報（ａ）にファクシミリデータへの変換可／不可の問い合わせも含まれている場合は、他の複合機は電話回線１６が有効であり且つファクシミリデータへ変換可能であれば応答情報（ｂ）を返信する。
【００４７】
なお、本実施例の複合機はマルチキャストで問い合わせるが、ブロードキャストで問い合わせてもよい。マルチキャストの場合はルータを越えた他のサブネットにも問い合わせ情報（ａ）を送信することができるので、広い範囲に分散配置されている複合機に問い合わせすることができる。一方、ブロードキャストはルータを越える問い合わせはできないものの、送信対象を特定しないので、ユーザは予め複合機を登録しておく手間を不要にできる。
【００４８】
Ｓ１３０では、ユーザによって操作される複合機の中央制御部２１は、他の複合機からの応答の有無を判定する。ユーザによって操作される複合機の中央制御部２１は、一台でも応答があれば応答ありと判定する。ユーザによって操作される複合機の中央制御部２１は、応答ありのときはＳ１３５に進み、応答なしのときは処理を終了する。
【００４９】
Ｓ１３５では、ユーザによって操作される複合機の中央制御部２１は、応答のあった各複合機の識別情報を操作部３０のＬＣＤに一覧表示し、ファクシミリ送信の中継を依頼する先の複合機の選択を受け付ける。ユーザは複合機の操作部３０を操作して依頼する先の複合機を選択するとともに、ファクシミリ送信先の指定を行う。ファクシミリ送信先は例えば予め設定しておいたファクシミリ送信先のいずれかを選択することによって指定してもよいし、操作部３０から入力することによって指定してもよい。なお、ユーザによって操作される複合機は、応答のあった複合機のいずれかをユーザに選択させるのではなく、最初に応答した複合機を自動で選択してもよい。
【００５０】
Ｓ１４０では、ユーザによって操作される複合機の中央制御部２１は、自身のネットワーク管理部３７を制御し、選択された複合機にファクシミリ送信要求（ｃ）を送信する。このとき、ユーザによって操作される複合機の中央制御部２１は、指定されたファクシミリ送信先（ｄ）をファクシミリ送信要求（ｃ）に含めて送信する。
【００５１】
Ｓ１４５の処理は、ファクシミリ送信要求（ｃ）を送信した先の複合機が、ユーザによって操作される複合機のスキャナ制御部２５をＬＡＮ１５を介して遠隔制御することにより実行される。ファクシミリ送信要求（ｃ）を送信した先の複合機は、ユーザによって操作される複合機のスキャナ制御部２５にＬＡＮ１５を介して原稿の読み取りと読み取った画像データの送信を指示する。これにより、ユーザによって操作される複合機に画像データ要求（ｅ）が送信される。ユーザによって操作される複合機のスキャナ制御部２５はその指示に従ってスキャナ部２６に送信原稿を読み取らせ、スキャナＲＡＷデータを取得する。
【００５２】
本実施例の様な複合機ではない単機能の画像読み取り装置は、一般にパーソナルコンピュータ（ＰＣ）などで実行されるスキャナドライバに制御されて動作する。このため、遠隔制御によって原稿を読み取らせるようにすると、そのような他の装置による制御を必要とする画像読み取り装置にも原稿を読み取らせることができる。なお、本実施例のように他の装置による制御が必要なければ、遠隔制御されることなく自身の中央制御部で読み取りを制御するようにしてもよい。
【００５３】
この遠隔制御において、ファクシミリ送信要求（ｃ）を送信した先の複合機、すなわち遠隔制御する側の複合機は、ユーザによって操作される複合機のスキャナ制御部２５を、自身のファクシミリ制御部２７がファクシミリ送信する解像度で原稿を読み取るよう制御する。例えば、ユーザによって操作される複合機は高解像度で原稿を読み取ることができても、ファクシミリ制御部２７が高解像度でファクシミリ送信できなければ、低解像度で読み取るよう遠隔制御する。これにより、読み取りの無駄をなくすことができる。
【００５４】
ユーザによって操作される複合機のスキャナ制御部２５は、スキャナ部２６に送信原稿を順に読み取らせる。ユーザによって操作される複合機のスキャナ制御部２５は、変換部３２でスキャナＲＡＷデータをファクシミリデータに変換可能な場合は、読み取った分のスキャナＲＡＷデータを変換部３２でファクシミリデータに変換してデータ記憶部２２に格納する。ユーザによって操作される複合機のネットワーク管理部３７は、読み取った分のファクシミリデータがデータ記憶部２２に格納される毎にデータ記憶部２２から当該ファクシミリデータを読み出して送信する。すなわち、ネットワーク管理部３７は、スキャナ制御部２５で送信原稿を読み取りつつ送信する。送信原稿を読み取りつつ送信するようにすると、送信原稿を全て読み取ってから送信する場合に比べ、データ記憶部２２の容量が少なくてすむ。
【００５５】
ユーザによって操作される複合機のスキャナ制御部２５は、変換部３２でファクシミリデータに変換不可の場合は、スキャナＲＡＷデータを取得する毎にそのままデータ記憶部２２に格納する。ユーザによって操作される複合機のネットワーク管理部３７は、読み取った分のスキャナＲＡＷデータがデータ記憶部２２に格納される毎にデータ記憶部２２から当該スキャナＲＡＷデータを読み出して送信する。なお、ユーザによって操作される複合機は、スキャナＲＡＷデータをＲＧＢデータまでなら変換可能な場合はＲＧＢデータに変換して送信してもよい。図１において「画像データ（ｆ）」はファクシミリデータ、スキャナＲＡＷデータ、又はＲＧＢデータに相当する。
【００５６】
Ｓ１５０では、ユーザによって操作される複合機の中央制御部２１は、自身でファクシミリ送信する。Ｓ１５０の処理の詳細は省略する。
次に、送信中継モジュール４２を実行する他の複合機がファクシミリ送信を中継する処理を、Ｓ１２５でマルチキャストされた問い合わせ情報（ａ）に応答する処理と、Ｓ１４０で送信されたファクシミリ送信要求（ｃ）を受信して画像データ（ｆ）をファクシミリ送信する処理とに分けて説明する。
【００５７】
図６は、他の複合機の中央制御部２１が、Ｓ１２５でマルチキャストされた問い合わせ情報（ａ）に応答する処理の流れを示すフローチャートである。本処理は、Ｓ１２５でマルチキャストされた問い合わせ情報（ａ）を受信した他の複合機がそれぞれ個別に実行する。
Ｓ２０５では、他の複合機の中央制御部２１は、設定情報記憶部３１からファクシミリ送信設定情報を取得する。
【００５８】
Ｓ２１０では、他の複合機の中央制御部２１は、自身のファクシミリ送信設定情報を参照してファクシミリ送信が許可されているか否かを判定する。他の複合機の中央制御部２１は、許可されている場合はＳ２１５に進み、許可されていない場合は応答情報（ｂ）を返信することなく処理を終了する。
Ｓ２１５では、他の複合機の中央制御部２１は、自身のファクシミリ制御部２７に電話回線１６の有効／無効を確認する。ファクシミリ制御部２７は電話回線１６が接続されており且つ通話可能な状態であれば中央制御部２１に有効であることを通知する。ファクシミリ制御部２７は、それ以外の状態であれば無効を通知する。他の複合機の中央制御部２１は、有効であればＳ２２０に進み、無効であれば応答情報（ｂ）を返信することなく処理を終了する。
【００５９】
Ｓ２２０では、他の複合機の中央制御部２１は、受信した問い合わせ情報（ａ）にスキャナＲＡＷデータからファクシミリデータへの変換可／不可の問い合わせが含まれているか否かを判定する。他の複合機の中央制御部２１は、含まれていればＳ２２５に進み、含まれていなければＳ２３０に進む。
Ｓ２２５では、他の複合機の中央制御部２１は、自身の変換部３２にスキャナＲＡＷデータからファクシミリデータへの変換可／不可を確認する。変換部３２は変換可能か否かを判定し、変換可能であれば中央制御部２１に変換可を通知する。変換部３２は変換不可であれば不可を通知する。他の複合機の中央制御部２１は、変換可であればＳ２３０に進み、不可であれば応答情報（ｂ）を返信することなく処理を終了する。
【００６０】
Ｓ２３０では、他の複合機の中央制御部２１は、ファクシミリ送信可能な状態であると判定し、ネットワーク管理部３７を制御して、問い合わせ情報（ａ）の送信元の複合機にファクシミリ送信可能を表す応答情報（ｂ）を返信する。
逆にいうと、問い合わせ情報（ａ）を受信した他の複合機は、例えファクシミリ制御部２７を有していても電話回線１６が無効のときやファクシミリデータに変換できないときはファクシミリ送信不可能と判定して応答情報（ｂ）を返信しない。これにより、実際にはファクシミリ送信できない複合機にファクシミリ送信が依頼されてしまうことを防止できる。
【００６１】
図７は、応答情報（ｂ）を返信した他の複合機のうちＳ１３５で選択された複合機の中央制御部２１が、依頼された画像データをファクシミリ送信する処理の流れを示すフローチャートである。本処理は、Ｓ１３５で選択された複合機が、Ｓ１４０で送信されたファクシミリ送信要求（ｃ）を受信すると開始される。
Ｓ３０５では、選択された複合機の中央制御部２１は、ユーザによって操作される複合機の識別情報と、当該ファクシミリ送信要求（ｃ）の処理状況を表すステータス情報とを関連付けたジョブを、データ記憶部２２に確保した待ち行列（キュー）の最後尾に登録する。このとき選択された複合機の中央制御部２１はステータス情報に「送信待ち」を設定する。
【００６２】
Ｓ３１０では、選択された複合機の中央制御部２１は、Ｓ１４５で説明したようにユーザによって操作される複合機を遠隔制御して原稿を読み取らせ、画像データ（ｆ）を受信する。ユーザによって操作される複合機を遠隔制御する処理は、画像データ（ｆ）の受信が可能になるのを待って行う。画像データ（ｆ）の受信は、具体的には、先にキューに登録されているジョブのファクシミリ送信が終了してデータ記憶部２２の記憶領域が開放され、次の画像データ（ｆ）の記憶が可能になることによって可能になる。遠隔制御する側の複合機にとっての遠隔制御の利点は、画像データ（ｆ）を自身に都合の良いタイミングで受信できることにある。例えば複数の複合機からファクシミリ送信要求（ｃ）を受信した場合、遠隔制御する側の複合機は１件分のファクシミリ送信が完了したら次の複合機から画像データ（ｆ）を受信するようにすることで、画像データ（ｆ）を記憶するためのメモリ容量を少なくできる。なお、ユーザによって操作される複合機は、選択された複合機にファクシミリ送信要求（ｃ）と同時に画像データ（ｆ）を送信するようにしてもよい。ただし、このようにすると、選択された複合機は複数の複合機からファクシミリ送信を依頼されたときファクシミリ送信待ちの画像データ（ｆ）をデータ記憶部２２に記憶しておかなければならないので、大容量のデータ記憶部２２が必要である。
【００６３】
Ｓ３１５では、選択された複合機の中央制御部２１は、受信した画像データ（ｆ）がスキャナＲＡＷデータであればＲＧＢデータに変換し、変換したＲＧＢデータをファクシミリデータに変換する。選択された複合機の中央制御部２１は、受信した画像データ（ｆ）がＲＧＢデータであればファクシミリデータに変換する。受信した画像データ（ｆ）がファクシミリデータであればこのステップは不要である。
【００６４】
Ｓ３２０では、選択された複合機の中央制御部２１は、自身のファクシミリ制御部２７を制御し、受信したファクシミリ送信要求（ｃ）に含まれていたファクシミリ送信先（ｄ）に宛ててファクシミリデータを電話回線１６に送出する。
Ｓ３２５では、選択された複合機の中央制御部２１は、当該ジョブのステータス情報を「送信済み」に更新する。
【００６５】
（２）処理状況表示
図８はユーザによって操作される複合機の中央制御部２１がファクシミリ送信要求（ｃ）の処理状況を表示する処理の流れを示すフローチャートであり、図９は処理状況表示において複合機間で送受信されるデータのシーケンスチャートである。本処理は、ユーザによって操作される複合機が選択された複合機にファクシミリ送信要求（ｃ）を送信した後、ユーザが操作部３０を操作して処理状況の確認を指示すると開始される。
【００６６】
Ｓ４０５では、ユーザによって操作される複合機の中央制御部２１は、前述のＳ１４０でファクシミリ送信要求（ｃ）を送信した先の複合機、すなわち前述のＳ１３５で選択された複合機に、処理状況を問い合わせる。具体的には例えば、ユーザによって操作される複合機の中央制御部２１は、選択された複合機に処理状況を問い合わせる問い合わせ情報（ｇ）を送信する。
【００６７】
Ｓ４１０では、選択された複合機の中央制御部２１は、処理状況を問い合わせる問い合わせ情報（ｇ）を受信すると、当該問い合わせ情報（ｇ）の送信元の複合機に対応付けられているジョブのステータス情報（ｈ）をデータ記憶部２２から取得し、当該問い合わせ情報（ｇ）の送信元の複合機に送信する。
Ｓ４１５では、ユーザによって操作される複合機の中央制御部２１は、ステータス情報（ｈ）を受信すると、当該ステータス情報（ｈ）に基づいて処理状況をＬＣＤに表示する。
【００６８】
これにより、複合機を操作するユーザは、ファクシミリ送信の処理状況を知ることができる。なお、ユーザによって操作される複合機側で、キューに入っているジョブの順序を替えたり取り消したりするなどの操作をできるようにしてもよい。
【００６９】
（３）ファクシミリ受信
始めに、受信中継モジュール４３を実行する複合機が、ファクシミリ受信を中継する処理、又はファクシミリ受信したファクシミリデータを自身で印刷する処理について説明する。
図１０はファクシミリ受信した複合機の中央制御部２１の処理の流れを示すフローチャートであり、図１１はファクシミリ受信において複合機間で送受信されるデータのシーケンスチャートである。本処理は、いずれか画像データをファクシミリ受信した複合機で実行される。
【００７０】
Ｓ５０５では、ファクシミリ受信した複合機は、設定情報記憶部３１からファクシミリ受信設定情報を取得する。
Ｓ５１０では、ファクシミリ受信した複合機の中央制御部２１は、取得したファクシミリ受信設定情報を参照して、ファクシミリデータの振り分け（転送）が許可されているか否かを判定する。ファクシミリ受信した複合機の中央制御部２１は、許可されていれば５１５に進み、許可されていなければＳ５３５に進む。
【００７１】
Ｓ５１５では、ファクシミリ受信した複合機の中央制御部２１は、自身の変換部３２にファクシミリデータから印刷データへの変換可／不可を確認する。本実施例の複合機はファクシミリデータからＲＧＢデータへ、ＲＧＢデータから印刷データへ変換できるので、変換部３２は中央制御部２１に変換可を通知する。ファクシミリ受信した複合機の中央制御部２１は、変換不可の場合は不可を通知する。
【００７２】
Ｓ５２０では、ファクシミリ受信した複合機の中央制御部２１は、自身のネットワーク管理部３７を制御して、予め登録されている他の複合機に、印刷可能／不可能を問い合わせる問い合わせ情報（ｋ）をマルチキャストする。このとき、ファクシミリ受信した複合機の中央制御部２１は、受信したファクシミリデータの送信元（ファクシミリ送信元）を問い合わせ情報（ｋ）に含めて送信する。この問い合わせにおいて、ファクシミリ受信した複合機は、Ｓ５１５において自身の変換部３２から変換不可を通知されている場合は、ファクシミリデータから印刷データへの変換可／不可も併せて他の複合機に問い合わせる。なお、ファクシミリ受信した複合機の中央制御部２１は、ファクシミリデータをＲＧＢデータまでなら自身の変換部３２で変換可能な場合は、ＲＧＢデータから印刷データへの変換可／不可を他の複合機に問い合わせてもよい。
【００７３】
問い合わせ情報（ｋ）を受信した他の複合機は、自身の振り分け基準を参照し、受信した問い合わせ情報（ｋ）に含まれるファクシミリ送信元が振り分け基準を満たしているか否かを判定する。他の複合機は、ファクシミリ送信元が振り分け基準を満たし、且つ自身のプリンタ部２４が有効であれば問い合わせに対して応答情報（ｍ）を返信する。他の複合機は、問い合わせ情報（ｋ）に印刷データへの変換可／不可の問い合わせも含まれている場合は、ファクシミリ送信元が振り分け基準を満たし、プリンタ部２４が有効であり且つ印刷データへ変換可能であれば応答情報（ｍ）を返信する。
【００７４】
Ｓ５２５では、ファクシミリ受信した複合機の中央制御部２１は、他の複合機からの応答の有無を判定する。ファクシミリ受信した複合機の中央制御部２１は、一台でも応答があれば応答ありと判定する。ファクシミリ受信した複合機の中央制御部２１は、応答ありであればＳ５３０に進み、応答なしであればＳ５３５に進む。
【００７５】
Ｓ５３０では、ファクシミリ受信した複合機の中央制御部２１は、自身のネットワーク管理部３７を制御して、応答のあった複合機に画像データ（ｎ）を転送する。具体的には、ファクシミリ受信した複合機の中央制御部２１は、自身の変換部３２がファクシミリデータを印刷データに変換可能な場合は印刷データを転送し、自身の変換部３２がファクシミリデータから印刷データへ変換不可の場合はファクシミリデータを転送する。なお、ファクシミリ受信した複合機がファクシミリデータをＲＧＢデータまでなら変換可能な場合はＲＧＢデータに変換して転送してもよい。「画像データ（ｎ）」は、印刷データ、ファクシミリデータ、又はＲＧＢデータに相当する。なお、ファクシミリ受信した複合機は、当該応答のあった複合機のプリンタ制御部２３を遠隔操作して印刷させてもよい。
【００７６】
Ｓ５３５では、ファクシミリ受信した複合機の中央制御部２１は、自身のプリンタ制御部２３にプリンタ部２４の有効／無効を確認する。プリンタ制御部２３はプリンタ部２４が印刷可能な状態であるか否かを判定し、印刷可能な状態であれば中央制御部２１に有効を通知する。ファクシミリ受信した複合機の中央制御部２１は、印刷不可能な状態であれば無効を通知する。ファクシミリ受信した複合機の中央制御部２１は、有効であればＳ５４０に進み、無効であれば処理を終了する。
【００７７】
Ｓ５４０では、ファクシミリ受信した複合機の中央制御部２１は、自身の変換部３２にファクシミリデータから印刷データへの変換可／不可を確認する。ファクシミリ受信した複合機の中央制御部２１は、変換可であればＳ５４５に進む。ファクシミリ受信した複合機の中央制御部２１は、変換不可であれば処理を終了する。
【００７８】
Ｓ５４５では、ファクシミリ受信した複合機の中央制御部２１は、印刷データを自身のプリンタ部２４で印刷する。
次に、他の複合機が画像データ（ｎ）を印刷する処理を、Ｓ５２０でマルチキャストされた問い合わせに応答する処理と、Ｓ５３０で転送された画像データ（ｎ）を受信して印刷する処理とに分けて説明する。
【００７９】
図１２は、他の複合機の中央制御部２１が問い合わせに応答する処理の流れを示すフローチャートである。本処理は、Ｓ５２０でマルチキャストされた問い合わせ情報（ｋ）を受信した他の複合機がそれぞれ個別に実行する。
Ｓ６０５では、他の複合機の中央制御部２１は、設定情報記憶部３１からファクシミリ受信設定情報を取得する。
【００８０】
Ｓ６１０では、他の複合機の中央制御部２１は、ファクシミリ受信設定情報を参照してファクシミリ受信が許可されているか否かを判定する。他の複合機の中央制御部２１は、許可されていればＳ６１５に進み、許可されていなければ応答情報（ｍ）を返信することなく処理を終了する。
Ｓ６１５では、他の複合機の中央制御部２１は、受信した問い合わせ情報（ｋ）に含まれるファクシミリ送信元と予め設定されている振り分け基準とを比較して、ファクシミリ送信元が振り分け基準を満たすか否かを判定する。振り分け基準としては、ファクシミリ送信元の番号を個別に設定してもよいし、市内局番を設定してもよい。他の複合機の中央制御部２１は、市内局番を設定した場合はファクシミリ送信元の番号にその市内局番が含まれていれば振り分け基準を満たすと判定するようにすることで、特定の市内局番が含まれるファクシミリデータを全て受信することができるようになる。他の複合機の中央制御部２１は、振り分け基準を満たす場合はＳ６２０に進み、満たさなければ応答情報（ｍ）を返信することなく処理を終了する。
【００８１】
Ｓ６２０では、他の複合機の中央制御部２１は、自身のプリンタ制御部２３にプリンタ部２４の有効／無効を確認する。プリンタ制御部２３はプリンタ部２４が印刷実行可能な状態であれば中央制御部２１に有効を通知する。プリンタ制御部２３は、具体的には例えば印刷用紙やインクなどが切れおらず直ちに印刷を実行できる状態であれば有効を通知する。プリンタ制御部２３はプリンタ部２４が印刷実行不可能な状態であれば無効を通知する。他の複合機の中央制御部２１は、プリンタ部２４が有効であれば印刷実行可能と判定しＳ６２５に進み、無効であれば応答情報（ｍ）を返信することなく処理を終了する。
【００８２】
Ｓ６２５では、他の複合機の中央制御部２１は、受信した問い合わせ情報（ｋ）にファクシミリデータから印刷データへの変換可／不可の問い合わせが含まれているか否かを判定する。他の複合機の中央制御部２１は、含まれていればＳ６３０に進み、含まれていなければＳ６３５に進む。
Ｓ６３０では、他の複合機の中央制御部２１は、自身の変換部３２にファクシミリデータから印刷データへの変換可／不可を確認する。変換部３２は変換可能か否かを判定し、変換可能であれば中央制御部２１に変換可を通知する。他の複合機の中央制御部２１は、変換可能であればＳ６３５に進み、変換不可であれば応答情報（ｍ）を返信することなく処理を終了する。
【００８３】
Ｓ６３５では、他の複合機は、印刷可能な状態であると判定し、自身のネットワーク管理部３７を制御して、問い合わせ情報（ｋ）の送信元に応答情報（ｍ）を返信する。
図１３は、Ｓ５３０で応答情報（ｍ）を返信した複合機の中央制御部２１が、ファクシミリ受信した複合機から画像データ（ｎ）を受信して印刷する処理の流れを示すフローチャートである。本処理は、応答情報（ｍ）を返信した複合機が画像データ（ｎ）を受信すると開始される。
【００８４】
Ｓ７０５では、応答情報（ｍ）を返信した複合機の中央制御部２１は、ファクシミリデータを受信した場合は受信したファクシミリデータをＲＧＢデータに変換し、変換したＲＧＢデータを印刷データに変換する。応答情報（ｍ）を返信した複合機の中央制御部２１は、ＲＧＢデータを受信した場合は受信したＲＧＢデータを印刷データに変換する。印刷データを受信した場合はこのステップは不要である。
【００８５】
Ｓ７１０では、応答情報（ｍ）を返信した複合機は、自身のプリンタ制御部２３を制御して、印刷データをプリンタ部２４に印刷させる。なお、応答情報（ｍ）を返信した複合機は、前述したようにファクシミリ受信した複合機からプリンタ制御部２３を遠隔操作されることによって印刷するようにしてもよい。
以上説明した本発明の一実施例に係るファクシミリ中継システム１によると、ファクシミリ送信可能な複合機は、電話回線１６が接続されていないなどの理由によりファクシミリ送信不可能な複合機のファクシミリ送信を中継するので、ファクシミリとして利用する複合機の台数分の電話回線１６を確保する必要がない。従って低コストである。更に、自身でファクシミリ送信不可能な複合機は、他の複合機にファクシミリ送信可能／不可能を問い合わせ、ファクシミリ送信可能な複合機にファクシミリ送信の中継を依頼するので、ユーザはファクシミリ送信可能なファクシミリ中継装置を探し出す手間が不要である。よってこのファクシミリ中継システム１によると、複数の複合機を低コストで且つユーザの使い勝手を損なうことなくファクシミリとして利用できる。なお、問い合わせ情報（ｋ）をマルチキャストではなくブロードキャストで送信すると、ユーザがファクシミリ中継装置を予め登録しておく手間を不要にすることもできる。
【００８６】
更に、このファクシミリ中継システム１によると、電話回線１６が接続されている複合機がファクシミリ受信を中継するので、受信用のファクシミリとして利用する複合機の台数分の電話回線１６を確保する必要がない。従って低コストである。更に、画像データをファクシミリ受信した複合機は他の複合機に印刷可能／不可能を問い合わせ、印刷可能な複合機にファクシミリ受信した画像データを転送するので、画像データを転送したのに印刷されないというような問題が起きることがない。よって、複数の複合機を低コストで受信用のファクシミリとして利用できる上、ファクシミリ受信した画像データを確実に印刷できる。
【００８７】
更に、このファクシミリ中継システム１によると、全ての複合機が同一構成で対等であり、それら複合機はいずれも電話回線１６が接続されているか否かに応じてファクシミリ送信を依頼する側にもファクシミリ送信を中継する側にもなることができるため、あるいはファクシミリ受信した画像データを転送する側にも転送される側にもなることができるため、電話回線１６をどの複合機に接続しても全ての複合機がファクシミリ送受信可能である。このため、都合に応じて電話回線１６をどの複合機に接続してもよい。また、接続した電話回線１６を、通話中でない限りいつでも、全ての複合機に影響を与えることなく別の複合機に接続し直すことができる。
【００８８】
尚、本実施例では全ての複合機が同一構成で対等である場合を例に説明したが、これらは同一構成でなくてもよい。例えば、画像読み取り装置は、ファクシミリ送信を制御するファクシミリ制御部２７を備えない複合機であってもよい。この場合、その画像読み取り装置は常にファクシミリ送信を依頼する側、ファクシミリ受信した画像データを転送される側となる。
【００８９】
また、複合機は、自身でファクシミリ送信が可能であり、電話回線１６が接続されていないなどの理由により自身がファクシミリ送信不可能なときは他の複合機にファクシミリ送信を依頼するが、自身がファクシミリ送信可能な状態であっても他のファクシミリ送信は中継しない複合機でもよい。
また、本実施例では複合機がファクシミリ中継装置として機能するが、ファクシミリ中継装置はプリンタ部２４やスキャナ部２６を備えず中継のみを行うものであってもよい。
【００９０】
また、ファクシミリ中継装置はスキャナ部２６を備え、他の複合機の中継を行う他に、自身も送信用のファクシミリとして機能するものであってもよい。
また、本実施例では画像読み取り装置としての複合機がプリンタ部２４を備える場合を例に説明したが、画像読み取り装置はプリンタ部２４を備えていなくてもよい。ただし、その場合はファクシミリ受信した画像データを印刷できないので、プリンタ部２４を備えることが望ましい。
【図面の簡単な説明】
【００９１】
【図１】本発明の一実施例に係るシーケンスチャート。
【図２】本発明の一実施例に係るファクシミリ中継システムの模式図。
【図３】本発明の一実施例に係る複合機のハードウェア構成を示すブロック図。
【図４】本発明の一実施例に係るファクシミリ中継プログラムのブロック図。
【図５】本発明の一実施例に係るフローチャート。
【図６】本発明の一実施例に係るフローチャート。
【図７】本発明の一実施例に係るフローチャート。
【図８】本発明の一実施例に係るフローチャート。
【図９】本発明の一実施例に係るシーケンスチャート。
【図１０】本発明の一実施例に係るフローチャート。
【図１１】本発明の一実施例に係るシーケンスチャート。
【図１２】本発明の一実施例に係るフローチャート。
【図１３】本発明の一実施例に係るフローチャート。
【符号の説明】
【００９２】
１  ファクシミリ中継システム、１１〜１４  複合機（画像読み取り装置、ファクシミリ中継装置）、１５  ＬＡＮ（第一の通信ネットワーク）、１７  公衆電話交換回線網（第二の通信ネットワーク）、２１  中央制御部（ファクシミリ中継依頼手段、第一の判定手段、ファクシミリ中継手段、ファクシミリ送信先指定手段、処理状況表示手段、処理状況送信手段、ファクシミリ転送手段、第二の判定手段、ファクシミリ印刷手段）、２３  プリンタ制御部（印刷手段）、２４  プリンタ部（印刷手段）、２５  スキャナ制御部（読み取り手段）、２６  スキャナ部（読み取り手段）、２７  ファクシミリ制御部（ファクシミリ送信手段、ファクシミリ受信手段）、２８、２９  有線制御部（通信手段）、３０  操作部（ファクシミリ送信先指定手段、処理状況表示手段）、３７  ネットワーク管理部（通信手段、ファクシミリ中継依頼手段）、３２  変換部（読み取り手段、ファクシミリ送信手段、ファクシミリ受信手段、印刷手段）
【図１】
2006166352.tif 000003
【図２】
2006166352.tif 000004
【図３】
2006166352.tif 000005
【図４】
2006166352.tif 000006
【図５】
2006166352.tif 000007
【図６】
2006166352.tif 000008
【図７】
2006166352.tif 000009
【図８】
2006166352.tif 000010
【図９】
2006166352.tif 000011
【図１０】
2006166352.tif 000012
【図１１】
2006166352.tif 000013
【図１２】
2006166352.tif 000014
【図１３】
2006166352.tif 000015